【手続補正書】
【提出日】平成24年5月16日(2012.5.16)
【手続補正１】
【補正対象書類名】特許請求の範囲
【補正対象項目名】全文
【補正方法】変更
【補正の内容】
【特許請求の範囲】
【請求項１】
記録データのマーク長に応じたライトストラテジに従って、光記録媒体にレーザー光を照射することによりデータを記録し、記録したデータを再生する光記録装置であって、
複数の初期ライトストラテジを用いて、それぞれの前記初期ライトストラテジを設定したときに近傍の最適点を探索するローカル探索により得られた各々のローカル最適点におけるライトストラテジのパラメータとそれぞれの前記パラメータに対する係数との積の和で与えられる合成変数の分散が大きくなるように、前記係数を定めることで、定められた係数で定義される成分軸に沿って、再生信号のジッター値が最小となるよう前記ライトストラテジを調整する調整手段と、
前記調整手段による調整により得られたライトストラテジを用いて前記光記録媒体への書き込みを行う書き込み手段とを有する
ことを特徴とする光記録装置。
【請求項２】
前記成分軸は、前記初期ライトストラテジとして、予め特定の光記録媒体について、ライトストラテジのパラメータが取り得る値の範囲の大部分をカバーするように選択された複数のライトストラテジを用いて生成されたものであることを特徴とする請求項１に記載の光記録装置。
【請求項３】
前記成分軸は、前記分散が大きいものから順に前記係数を定めることで、定められた第１乃至第ｐの成分軸（ｐはライトストラテジのパラメータの数）から選択されたものであって、
前記第１乃至第ｐの成分軸のそれぞれの方向は、直交関係にある
ことを特徴とする請求項１又は２に記載の光記録装置。
【請求項４】
前記調整手段は、
前記第１乃至第ｐの成分軸から選択した２つの成分軸を用いて前記ライトストラテジを調整するものであって、
前記選択した２つの成分軸のうち一方の前記成分軸に沿って、再生信号のジッター値が最小となる点を見つけ出し、見つけ出した前記点での再生信号のジッター値が所定の値よりも大きいかどうかを判定し、
前記所定の値以下と判定した場合は、前記調整を終了し、
前記所定の値より大きいと判定した場合は、前記選択した複数の成分軸のうち他方の前記成分軸について成分軸に沿って再生信号のジッター値が最小となる点を見つけ出す
ことを特徴とする請求項３に記載の光記録装置。
【請求項５】
前記調整手段は、
前記第１乃至第ｐの成分軸から選択した複数の成分軸を用いて前記ライトストラテジを調整するものであって、
前記選択した複数の成分軸のうち１つの前記成分軸に沿って、再生信号のジッター値が最小となる点を見つけ出し、見つけ出した前記点での再生信号のジッター値が所定の値よりも大きいかどうかを判定し、
前記所定の値以下と判定した場合は、前記調整を終了し、
前記所定の値より大きいと判定した場合は、前記選択した複数の成分軸のうち別の前記成分軸について成分軸に沿って再生信号のジッター値が最小となる点を見つけ出して前記判定を繰り返す
ことを特徴とする請求項３又は請求項４に記載の光記録装置。
【請求項６】
前記調整手段による調整により得られた、ジッター値が最小となるライトストラテジから、その近傍のローカル探索を行って、ライトストラテジの最適点を見つける再ローカル探索手段をさらに有する
ことを特徴とする請求項１乃至５のいずれかに記載の光記録装置。
【請求項７】
前記成分軸を表すベクトル値を記憶する成分軸記憶手段をさらに有し、
前記調整手段は、前記成分軸記憶手段に記憶されたベクトル値により表される成分軸を前記調整に用いる
ことを特徴とする請求項１乃至６のいずれかに記載の光記録装置。
【請求項８】
前記成分軸を生成する成分軸生成手段をさらに有し、
前記書き込み手段による書き込みを行うに先立ち、当該書き込みの対象となる光記録媒体を用いて前記成分軸生成手段が前記成分軸の生成を行う
ことを特徴とする請求項１乃至７のいずれかに記載の光記録装置。
【請求項９】
光記録媒体に記憶されたライトストラテジの推奨値から、その近傍のローカル探索を行って、ライトストラテジの最適点を見つけるローカル探索手段をさらに有し、
前記調整手段は、前記ローカル探索で見つけられたライトストラテジの最適点を基準として、前記成分軸に沿う調整を行う
ことを特徴とする請求項１乃至８のいずれかに記載の光記録装置。
【請求項１０】
前記成分軸に沿う調整の結果得られた最小のジッター値が所定の値よりも大きいときに、当該成分軸上の複数の点から、その近傍をローカル探索した結果得られた複数のローカル最適点に基づいて新たな成分軸を生成する成分軸補正手段をさらに有し、
前記調整手段は、当該新たな成分軸に沿ってライトストラテジを調整する
ことを特徴とする請求項１乃至９のいずれかに記載の光記録装置。
【請求項１１】
前記ライトストラテジの調整を行った前記光記録媒体について、前記調整手段により得られたライトストラテジを記憶するライトストラテジ記憶手段をさらに有し、
当該光記録媒体が後に再び挿入された場合に、前記書き込み手段は、前記ライトストラテジ記憶手段に記憶されている前記ライトストラテジを読み出して、書き込みで用いるべきライトストラテジとして利用することを特徴とする請求項１乃至１０のいずれかに記載の光記録装置。
【請求項１２】
記録データのマーク長に応じたライトストラテジに従って、光記録媒体にレーザー光を照射することによりデータを記録し、記録したデータを再生する光記録方法であって、
複数の初期ライトストラテジを用いて、それぞれの前記初期ライトストラテジを設定したときに近傍の最適点を探索するローカル探索により得られた各々のローカル最適点におけるライトストラテジのパラメータとそれぞれの前記パラメータに対する係数の積との和で与えられる合成変数の分散が大きくなるように、前記係数を定めることで、定められた係数で定義される成分軸に沿って、再生信号のジッター値が最小となるよう前記ライトストラテジを調整する調整工程と、
前記調整工程による調整により得られたライトストラテジを用いて前記光記録媒体への書き込みを行う書き込み工程とを有する
ことを特徴とする光記録方法。
【請求項１３】
前記成分軸は、前記初期ライトストラテジとして、予め特定の光記録媒体について、ライトストラテジのパラメータが取り得る値の範囲の大部分をカバーするように選択された複数のライトストラテジを用いて生成されたものであることを特徴とする請求項１２に記載の光記録方法。
【請求項１４】
前記成分軸は、前記分散が大きいものから順に前記係数を定めることで、定められた第１乃至第ｐの成分軸（ｐはライトストラテジのパラメータの数）から選択されたものであって、
前記第１乃至第ｐの成分軸のそれぞれの方向は、直交関係にある
ことを特徴とする請求項１２又は１３に記載の光記録方法。
【請求項１５】
前記調整工程は、
前記第１乃至第ｐの成分軸から選択した２つの成分軸を用いて前記ライトストラテジを調整するものであって、
前記選択した２つの成分軸のうち一方の前記成分軸に沿って、再生信号のジッター値が最小となる点を見つけ出し、見つけ出した前記点での再生信号のジッター値が所定の値よりも大きいかどうかを判定し、
前記所定の値以下と判定した場合は、前記調整を終了し、
前記所定の値より大きいと判定した場合は、前記選択した複数の成分軸のうち他方の前記成分軸について成分軸に沿って再生信号のジッター値が最小となる点を見つけ出す
ことを特徴とする請求項１４に記載の光記録方法。
【請求項１６】
前記調整工程は、
前記第１乃至第ｐの成分軸から選択した複数の成分軸を用いて前記ライトストラテジを調整するものであって、
前記選択した複数の成分軸のうち１つの前記成分軸に沿って、再生信号のジッター値が最小となる点を見つけ出し、見つけ出した前記点での再生信号のジッター値が所定の値よりも大きいかどうかを判定し、
前記所定の値以下と判定した場合は、前記調整を終了し、
前記所定の値より大きいと判定した場合は、前記選択した複数の成分軸のうち別の前記成分軸について成分軸に沿って再生信号のジッター値が最小となる点を見つけ出して前記判定を繰り返す
ことを特徴とする請求項１４又は請求項１５に記載の光記録方法。
【請求項１７】
前記調整工程による調整により得られた、ジッター値が最小となるライトストラテジから、その近傍のローカル探索を行って、ライトストラテジの最適点を見つける再ローカル探索工程をさらに有する
ことを特徴とする請求項１２乃至１６のいずれかに記載の光記録方法。
【請求項１８】
前記成分軸を表すベクトル値を光記録装置の成分軸記憶手段に記憶しておき、
前記調整工程は、前記成分軸記憶手段に記憶されたベクトル値により表される成分軸を前記調整に用いる
ことを特徴とする請求項１２乃至１７のいずれかに記載の光記録方法。
【請求項１９】
前記成分軸を生成する成分軸生成工程をさらに有し、
前記書き込み工程による書き込みを行うに先立ち、当該書き込みの対象となる光記録媒体を用いて前記成分軸生成工程により前記成分軸の生成を行う
ことを特徴とする請求項１２乃至１８のいずれかに記載の光記録方法。
【請求項２０】
光記録媒体に記憶されたライトストラテジの推奨値から、その近傍のローカル探索を行って、ライトストラテジの最適点を見つけるローカル探索工程をさらに有し、
前記調整工程は、前記ローカル探索で見つけられたライトストラテジの最適点を基準として、前記成分軸に沿う調整を行う
ことを特徴とする請求項１２乃至１９のいずれかに記載の光記録方法。
【請求項２１】
前記成分軸に沿う調整の結果得られた最小のジッター値が所定の値よりも大きいときに、当該成分軸上の複数の点から、その近傍をローカル探索した結果得られた複数のローカル最適点に基づいて新たな成分軸を生成する成分軸補正工程をさらに有し、
前記調整工程は、当該新たな成分軸に沿ってライトストラテジを調整する
ことを特徴とする請求項１２乃至２０のいずれかに記載の光記録方法。
【請求項２２】
前記ライトストラテジの調整を行った前記光記録媒体について、前記調整工程により得られたライトストラテジをライトストラテジ記憶手段に記憶させ、
当該光記録媒体が後に再び挿入された場合に、前記書き込み工程は、前記ライトストラテジ記憶手段に記憶されている前記ライトストラテジを読み出して、書き込みで用いるべきライトストラテジとして利用することを特徴とする請求項２０乃至２１のいずれかに記載の光記録方法。
【手続補正２】
【補正対象書類名】明細書
【補正対象項目名】００１１
【補正方法】変更
【補正の内容】
【００１１】
本発明の光記録装置は、
記録データのマーク長に応じたライトストラテジに従って、光記録媒体にレーザー光を照射することによりデータを記録し、記録したデータを再生する光記録装置であって、
複数の初期ライトストラテジを用いて、それぞれの前記初期ライトストラテジを設定したときに近傍の最適点を探索するローカル探索により得られた各々のローカル最適点におけるライトストラテジのパラメータとそれぞれの前記パラメータに対する係数との積の和で与えられる合成変数の分散が大きくなるように、前記係数を定めることで、定められた係数で定義される成分軸に沿って、再生信号のジッター値が最小となるよう前記ライトストラテジを調整する調整手段と、
前記調整手段による調整により得られたライトストラテジを用いて前記光記録媒体への書き込みを行う書き込み手段とを有する
ことを特徴とする。
【手続補正３】
【補正対象書類名】明細書
【補正対象項目名】００３９
【補正方法】変更
【補正の内容】
【００３９】
このような光記録方法を基本として、本実施の形態においては、初期ライトストラテジから、その近傍のローカル最適点を探索するローカル探索を行った後、予め定められた主成分軸に沿って最適点への探索を行う。このとき、複数の主成分軸が設定されている場合には、そのうちの１本を用いて調整を行っても良く、複数本を用いて調整を行っても良い。複数本を用いる場合には、例えば最も分散の大きい主成分軸から順に各主成分軸に沿う調整を行うのが望ましい。但し、分散の大きさの順以外の順序で調整を行っても良い。